(57)【特許請求の範囲】
【請求項１】
搬送される記録紙に対して前記記録紙の搬送方向と交差する方向に往復移動するキャリッジ上に搭載された記録ヘッドにより記録を行う記録装置において、
紙送りローラとともに前記記録紙を前記記録ヘッド側にて挟持するピンチローラ近傍に設けられ、前記キャリッジの移動軸と略平行な軸を中心として回転可能に構成され、前記記録紙の搬送方向下流となる前記記録ヘッドに向けて延在し、前記記録紙を押える部分を具備し、自重で前記記録紙を押さえる紙押え板と、
前記紙押え板の回転角を規制するストッパ機構と、
を備え、
前記紙押え板の回転軸がピンチローラの回転軸として共用され、
前記ストッパ機構は、紙押さえ板に形成された紙押さえストッパと、紙押さえ板先端の持ち上がり量を規制するために前記紙押さえストッパと当接するピンチローラホルダに形成された段差を有し、前記記録紙によって持ち上げられた前記紙押さえ板が前記記録ヘッドに緩衝しないように持ち上がり量を規制することを特徴とする記録装置。
【請求項２】
請求項１記載の記録装置において、紙押え板が、その先端部が記録紙の左右端部を押さえる位置に設けられていることを特徴とする記録装置。
【請求項３】
請求項２記載の記録装置において、紙押え板が、幅が異なる複数の記録紙に対応して設けられていることを特徴とする記録装置。
【請求項４】
請求項１ないし請求項３のいずれかに記載の記録装置において、紙押え板の先端部が記録ヘッドの下方まで延在することを特徴とする記録装置。
【請求項５】
請求項１ないし請求項４のいずれかに記載の記録装置において、記録ヘッドは、インクを吐出可能なインクジェット記録ヘッドであることを特徴とする記録装置。
【発明の詳細な説明】
【０００１】
【発明の属する技術分野】
本発明は、記録ヘッドにより記録媒体に記録を行う記録装置に関するものである。
【０００２】
【従来の技術】
図６は一般的なインクジェット方式による記録装置の外観を示す斜視図である。
【０００３】
図６において、１０１は板金で構成されているシャーシであり、該シャーシ１０１に各部品が付設されて、記録装置が構成されている。１０２は給紙装置で、記録紙を積載し、記録時には記録紙を１枚づつ分離して記録部へ搬送する。１０３はキャリッジで、インクタンクおよび記録ヘッド（ともに不図示）を搭載し、金属製のキャリッジ軸１０４に沿ってB方向に走査しながら、記録ヘッドからインクを記録紙に吐出して記録する。１０７はシャーシ１０１に付設されるピンチローラホルダで紙送り方向に対して回転可能なピンチローラ１０８が複数個付設され、ピンチローラばね１２０によりピンチローラ１０８を紙送りローラ１０５に押しつけている。記録紙は、ピンチローラ１０８と紙送りローラ１０５に挟持されて、紙送りローラ１０５の回転に応じて搬送される。１０６はプラテンリブ１０６ａが付設されたプラテンで、プラテンリブ１０６ａの上を記録紙が搬送されて行く。
【０００４】
記録紙は剛体ではないので、搬送中必ずしも平行度を保ったまま搬送されるわけではない。特に、記録紙にインクを吐出して記録するインクジェット方式の記録装置では、インクの水分で記録紙は伸び、記録紙が波打ち状態になることがある。特に、記録紙の端で浮きが生じやすく、最悪の場合には記録ヘッドと擦れてしまい、記録が乱れてしまう。
【０００５】
図７では、この記録紙と記録ヘッドの擦れ対策を施した従来例の要部の構造を示す斜視図である。
【０００６】
図７において、１０９は記録紙、１１０が爪によりプラテン１０６と係合する紙押え板右である。記録紙１０９の右端１０９ａは紙押え板右１１０の下を通るように搬送され、これによって、記録紙右端１０９ａの浮きによる記録ヘッドとの擦れを防止している。
【０００７】
図８は記録紙左端を押える様子を示している。多くの記録装置では記録紙右端を基準として記録紙の位置が決定される。その場合、記録紙の幅の違いは左端の位置の違いとなる。例えばＡ４とＬＴＲサイズ（ＬＥＴＴＥＲサイズでは、記録紙左端の位置に約６ｍｍの差が生じる。よって、紙押え板左１１１は、Ａ４用に突出した左端押え部１１１ａとＬＴＲサイズ用の左端押え部１１１ｂの形状を形成している。
【０００８】
Ａ５等、さらに幅の狭い記録紙の左端に該当する位置に紙押え板左を配置すると、紙押え板左によりＡ４等の幅の広い記録紙はＡ５用紙押え板に当たってしまい、これを通すことができなくなるので、ピンチローラホルダ１０７に一体に形成された紙押え形状１０７ａ（マイラー等による場合も同じ）を各記録紙サイズの左端に配置して、その弾性力で記録紙の左端を押える方法が取られてきた。
【０００９】
【発明が解決しようとする課題】
しかしながら、上述した紙端押え板左１１１のように、一つの部材で異なる幅の記録紙の左端を押えようとすると、形状が複雑になる。また、紙押え板は、記録ヘッドと記録紙の間に位置し、板厚が０．２〜０．３ｍｍ程度と非常に薄いので、Ａ４押え部１１１ａに変形が生じやすいという問題点がある。
【００１０】
また、記録紙のいろいろな幅の左端を押えるのに対応している紙押え形状１０７ａは、その変形により発生する弾性力によりで記録紙を押えるので、記録紙の搬送抵抗になり、搬送精度を落とす原因になる。紙押え形状１０７ａを増やせば増やす程、その傾向は強くなる。
【００１１】
そこで、本発明は記録装置、特にインクジェット方式の記録装置において、各種幅サイズの記録紙に対して、搬送精度を落とすことなく、記録紙の左右端のそりや浮きを防ぎ、記録ヘッドの擦れ等も防ぐことのできる記録装置を提供することを目的とする。
【００１２】
【課題を解決するための手段】
本発明の記録装置は、搬送される記録紙に対して前記記録紙の搬送方向と交差する方向に往復移動するキャリッジ上に搭載された記録ヘッドにより記録を行う記録装置において、
紙送りローラとともに前記記録紙を前記記録ヘッド側にて挟持するピンチローラ近傍に設けられ、前記キャリッジの移動軸と略平行な軸を中心として回転可能に構成され、前記記録紙の搬送方向下流となる前記記録ヘッドに向けて延在し、前記記録紙を押える部分を具備し、自重で前記記録紙を押さえる紙押え板と、
前記紙押え板の回転角を規制するストッパ機構と、
を備え、
前記紙押え板の回転軸がピンチローラの回転軸として共用され、
前記ストッパ機構は、紙押さえ板に形成された紙押さえストッパと、紙押さえ板先端の持ち上がり量を規制するために前記紙押さえストッパと当接するピンチローラホルダに形成された段差を有し、前記記録紙によって持ち上げられた前記紙押さえ板が前記記録ヘッドに緩衝しないように持ち上がり量を規制する。
【００１３】
上記目的を達成するための本発明の記録装置は、搬送される記録紙に対して前記記録紙の搬送方向と交差する方向に往復移動するキャリッジ上に搭載された記録ヘッドにより記録を行う記録装置において、
紙送りローラとともに前記記録紙を前記記録ヘッド側にて挟持するピンチローラ近傍に設けられ、前記キャリッジの移動軸と略平行な軸を中心として回転可能に構成され、前記記録紙の搬送方向下流となる前記記録ヘッドに向けて延在し、前記記録紙を押える部分を具備する紙押え板を備えたことを特徴とする。
【００１４】
この場合、紙押え板が、その先端部が記録紙の左右端部を押さえる位置に設けられることとしてもよい。
【００１５】
また、紙押え板が、幅が異なる複数の記録紙に対応して設けられることとしてもよい。
【００１６】
上記のいずれにおいても、紙押え板の先端部が記録ヘッドの下方まで延在することとしてもよい。
【００１９】
また、記録ヘッドは、インクを吐出可能なインクジェット記録ヘッドであるとしてもよい。
【００２０】
【発明の実施の形態】
以下に、本発明の複数の実施の形態を、図面を参照して詳細に説明する。
【００２１】
図１は、本発明による第１の実施例の要部を示す斜視図である。
【００２２】
本実施例は図６に示した従来例と同様の全体構成を持つ記録装置であり、図１には、その要部となる紙押え機構に関わる部分が示されている。図１において、記録紙１４は記録装置の最大幅仕様より幅が小さな記録紙である。１２は紙押え板であり、ピンチローラ８の図示していない回転軸に対して回転可能に構成されている。紙押え板１２は、搬送中の記録紙１４の左端１４ａに乗る位置に設けられている。１３は紙押え板左であり、最大幅の記録紙の左端部に乗る位置に設けられている。７はシャーシ１に配設されるピンチローラホルダで紙送り方向に対して回転可能なピンチローラ８が複数個配設され、ピンチローラばね（不図示）によりピンチローラ８を紙送りローラ５に押しつけている。記録紙１４は、ピンチローラ８と紙送りローラ５に挟持されて、紙送りローラ５の回転に応じて搬送される。６はプラテンリブ６ａが配設されたプラテンで、プラテンリブ６ａの上を記録紙１４が搬送されて行く。金属製のキャリッジ軸４は、キャリッジ（不図示）のガイド軸であり、キャリッジは、インクタンクおよび記録ヘッド（ともに不図示）を搭載し、キャリッジ軸４に沿ってB方向に走査しながら、記録ヘッドからインクを記録紙に吐出して記録する。
【００２３】
図２は、紙押え板１２による動作を説明するための部分断面図である。図中、１５はキャリッジ軸４と略平行なピンチローラ軸で、紙押え板１２はこのピンチローラ軸１５で回転可能である。紙押え板１２は、キャリッジ３に搭載された記録ヘッドのインク吐出面３ａとプラテンリブ６ａとの間の１ｍｍ程度の間隔に入れるため、通常、板厚が０．２ｍｍ程度の金属板で構成され、その自重で記録紙１４を押えている。紙押え板１２の回転中心はピンチローラ軸１５と同じであり、紙押え板１２の先端１２ｃは重心から大きく偏っているので、先端１２ｃにより記録紙１４に係る荷重は紙の浮きを押えるには、必要にして十分な荷重となっている。
【００２４】
また、記録紙１４を押える効果は、可能な限り記録紙１４を奥（先端）まで押えた方が高くなるので、紙押え板１２の先端１２ｃはキャリッジ３の下となるインク吐出部近傍まで伸ばされている。
【００２５】
図３は、紙押え板１２とピンチローラホルダ７の位置関係を示す斜視図である。紙押え板１２の回転中心１２ａは、図２に示したピンチローラ軸１５（図３では不図示）を中心に回転する。
【００２６】
以上説明したように、ピンチローラ近傍に、回転可能であり、その自由端が記録紙の上に位置して記録紙を抑える記録紙押え板機構を設けることにより、記録紙の幅が変わっても紙端にて紙押えを行うことが出来るようになり、記録紙の浮き、特に、紙端の浮きの発生を防止することができる。これにより、記録紙が記録ヘッドに干渉することを防止し、記録の乱れや記録ヘッドの損傷を防ぐことが可能になった。
【００２７】
また、前記紙押え板１２をその先端がインク吐出部を除く記録ヘッドの下まで届くように配置して、この箇所まで押えることにより、記録紙を押える範囲が増え、記録紙の浮きを防止する効果がより高いものとなっている。
【００２８】
また、紙押え板左１３は紙押え板１２があるため、最大幅の記録紙サイズのみに対応すればよく、形状が複雑で変形の原因となる図８に示した紙押え板１１１ａの形状とする必要がなくなった。
【００２９】
また、紙押え板１２の回転中心を部品の重心から偏らせることによって、紙押え板１２の自重で記録紙の浮きを押えることとしたので、従来行われていたピンチローラホルダ一体の記録紙押え形状の変形による記録紙の浮き対策よりも搬送抵抗が少なく、搬送精度の低下を防ぐことが出来た。
【００３０】
次に、本発明の第２の実施例について説明する。
【００３１】
図４は、本発明による第２の実施例の要部構成を示す斜視図である。第１の実施例の場合、紙押え１２が回転自在に構成されているため、非常に厚い記録紙の場合や、給紙時に複数枚の記録紙が同時に給紙されてしまう重送が発生した場合には、紙押え板１２の先端１２ａが大きく持ち上がり、記録ヘッドと干渉してしまうことが考えられる。
【００３２】
本実施例は上記のような不具合を考慮したものであり、非常に厚い記録紙や重送が発生したときに持ち上げられる紙押え板の先端の持ち上げられる高さを制限する機構を設けたものである。
【００３３】
本実施例における紙押え板２１２には、紙押え板ストッパ２１２ｂが設けられ、ピンチローラホルダ２０７には記録紙を押える紙押え板先端２１２ａの持ち上がり量が所定以上のときに紙押え板ストッパ２１２ｂを衝止する位置に段差２０７ａが形成されている。
【００３４】
紙押え板ストッパ２１２ｂと段差２０７ａとにより制限される紙押え板先端２１２ａの持ち上がり量について説明すると、図５に示すように、給紙時に複数枚の記録紙が同時に給紙されてしまう重送が発生してC方向に回転し、紙押え板先端２１２ａが持ちあがっても記録ヘッドに干渉する前に紙押え板２１２ｂと段差２０７ａが当接してその持ち上がり量を制限するようになっている。
【００３５】
本実施例においては、記録ヘッドと紙押え先端２１２ａが干渉する前にその持ち上がり量を制限する紙押えストッパ機構を設けることにより、記録ヘッドと紙押え板の干渉を防止することが可能になり、記録の乱れや記録ヘッドの損傷を防止することが可能になった。
【００３６】
なお、以上説明した各実施例において、紙押え板の回転軸がピンチローラ軸として説明したが、これらは別のものであってもよい。しかしながら、これらの軸を共用とすることで部品点数を減らすことができる。
【００３７】
また、紙押え板は、記録紙の鉛直上方からその自重で記録紙を押えるものであるため、配置の自由度が高いものとなっている。このため、幅が異なる複数の記録紙に対応させ、各記録紙の左右の端部を押える位置に複数設けるものとしてもよい。また、紙押え板の幅を長くして、幅の異なる複数の記録紙に対して、１つの紙押え板を設ける構成としてもよい。
【００３８】
【発明の効果】
本発明は以上説明したように構成されているので、以下に記載するような効果を奏する。
【００３９】
上記のように構成される本発明においては、記録時に記録紙の鉛直上方となる記録ヘッド側に回転可能に構成された紙押え板の先端部により記録紙が押えられるため、記録紙の浮きを防止し、紙押え板の変形もなく、安定した搬送精度を確保出来るものとなっている。紙押え板を記録紙の左右端部を押さえる位置に設けたり、記録ヘッドの下方まで紙押え板の先端部を延在させることにより、上記の動作をより確実なものとすることができる。
【００４０】
紙押え板の回転角を規制するストッパ機構を有するものの場合には、紙押え板が他の構成部材と衝突することを防止することができ、記録動作を安定したものとすることができる。
【００４１】
紙押え板の回転軸がピンチローラの回転軸として共用する場合には、構成部材を少なくすることができ、製造コストを低減することができる。
【００４２】
本発明は、インクの水分で記録紙は伸び、記録紙が波打ち状態になることが起こり得るインクジェット記録装置に特に有効である。
【図面の簡単な説明】
【図１】本発明による第１の実施例の要部を示す斜視図である。
【図２】紙押え板１２による動作を説明するための部分断面図である。
【図３】紙押え板１２とピンチローラホルダ７の位置関係を示す斜視図である。
【図４】本発明による第２の実施例の要部構成を示す斜視図である。
【図５】本発明による第２の実施例の要部構成を示す斜視図である。
【図６】一般的なインクジェット方式による記録装置の外観を示す斜視図である。
【図７】記録紙と記録ヘッドの擦れ対策を施した従来例の要部の構造を示す斜視図である。
【図８】記録紙と記録ヘッドの擦れ対策を施した従来例の要部の構造を示す斜視図である。
【符号の説明】
７    ピンチローラホルダ
７ａ    紙押え段差
８    ピンチローラ
１２    紙押え板
１２ｂ    紙押えストッパ
１２ｃ    紙押え板先端
１５    ピンチローラ軸
【図１】
0004522015.tif 000002
【図２】
0004522015.tif 000003
【図３】
0004522015.tif 000004
【図４】
0004522015.tif 000005
【図５】
0004522015.tif 000006
【図６】
0004522015.tif 000007
【図７】
0004522015.tif 000008
【図８】
0004522015.tif 000009